(57)【特許請求の範囲】
【請求項１】
天係止片（１９）と、水平方向の谷折り線を介して天係止片（１９）と連結した正面板（２）と、水平方向の谷折り線を介して正面板（２）と連結した底板（３）と、水平方向の谷折り線を介して底板（３）と連結した背板（４）と、背板（４）の両側に対で設けられ、垂直方向の各谷折り線を介して背板（４）と連結した、下縁が略水平な略直角三角形状の側板（５，６）とを有し、
上記各谷折り線においてそれぞれ谷折りにし、谷折り線を介して起立する、底板（３）の略中央部に設けられた底起片（１４）に切り込みを入れて設けられた二のａ底係止溝（１５）と、側板（５，６）の下縁にそれぞれ切り込みを入れて設けられたｂ底係止溝（１６）とを互いにはめ込み、天係止片（１９）の上縁に切り込みを入れて設けられた二のａ天係止溝（２０）と、側板（５，６）の上縁にそれぞれ切り込みを入れて設けられたｂ天係止溝（２１）とを互いにはめ込むことにより組み立てられるポップであって、
正面板（２）の一部領域を切り抜いて設けられ、下端で正面板（２）と連結したＺ折り片（１０）を谷折りと山折りにすることにより、側板（５）又は（６）の斜辺部分を切り取って設けられたＬ字縁（７）に沿わせ、Ｌ字縁（７）の上方のｂＺ折り片係止溝（２３）に、Ｚ折り片（１０）の上縁に設けられたａＺ折り片係止溝（２２）をはめ込むことにより陳列孔が形成され、
正面板（２）の一部を切り抜いて設けられた挿入口（１１）と、側板（５）及び（６）に対で設けられた収納溝（８）により、紙類収納部が形成される
ことを特徴とする組込み式陳列孔付ポップ。
【発明の詳細な説明】
【０００１】
【発明の属する技術分野】
本発明は、商品を直接陳列してＰＲ効果を高める事ができる様にしたポップに関する。
【０００２】
【従来の技術】
従来のポップは、商品を写真印刷で表示しただけの物であり、又、商品の実物を陳列できるポップにあっては、商品を乗せる為の棚をプラスチックで作って、接着によって取り付けた物であった。
【０００３】
【発明が解決しようとする課題】
商品の写真だけでも外観はＰＲできるが、実物を実際に手にする方が実感を掴む上でも極めて優位であってＰＲ効果も高く、この実物を陳列する為にプラスチックの棚を接着で取り付ける場合、棚を作ったり、接着する為の余分な手間が必要で、コスト高の原因となった。本発明は前記の問題点の解決を目的とする。
【０００４】
【課題を解決するための手段】
本体は横から見ると直角三角形状であり、斜辺の部分を正面板とし、背板の両側から直角三角形状の側板を正面方向へ折り曲げ、側板の正面斜片の下部領域をＬ字状に窪ませて、商品を乗せる為のＬ字縁を設け、正面斜片の上部領域を下方へ細長い溝を設ける事によって、カタログ等を収納する収納溝を設け、正面板へは、下部領域に商品の陳列孔を設けて下縁の折線を介してＺ折り片を設けてＬ字縁へ沿わせて組込む事で商品を面で支える事ができ、正面板の上部領域を横へ細長い矩形で挿入口を設ける事によって、正面方向の上からカタログ等を収納する事が可能となる。
【０００５】
【発明の実施の形態】
発明の実施の形態について、図面を参照して説明すると、展開した状態で示した平面図の図１に於いて、正面方向を下にして内側を表にして表示しており、本体１は正面板２と底板３と背板４によって直角三角形の筒状を成し、背板４は他の二つの面より横幅は狭くなっており、両側縁へ谷折り線を介して直角三角形状の側板を設けて、正面方向へ折り返す事によって、筒状である直角三角形の両側を塞ぐ状態と成り、組立て時の位置関係で各箇所の取り付け位置を以下から述べるものであり、
斜上を向く正面板２に於いて、下部領域を部分的に切り抜いて陳列孔９を設け、陳列孔９は縦長矩形で左右に対で表示してあるが、一つであっても良く、下端縁は谷折り線を介してＺ折り片１０と連結され、Ｚ折り片１０は下方の山折り線と上方の谷折り線によってＺ形状に折り畳まれる三つの室を有し、下室２４は床の役を果たし、中室２５は背もたれの役を果たし、上室２６は中央に背から中心の位置まで切り込まれた切り込みであるａＺ折り片係止溝２２を有して側板５の正面斜縁６へ組込まれるのであり、正面板２の上部領域へは横方向へ細長い矩形で切り抜いてカタログの挿入口１１を設け、挿入口１１は一つであっても良く、左右に二つ、縦へ複数設けても良く、挿入口１１の天縁へ谷折り線を介してフラップ片１３を設け、フラップ片１３を設けた事によって挿入されたカタログを面で支える事ができる事から重力によって折り曲がるのを防止でき、
背板４の両側へ谷折り線を介して連結された対の側板５に於いて、正面の斜縁を正面斜縁６と称し、正面斜縁６の下部領域はＬ字状に窪んでＬ字縁７として設け、Ｌ字縁７へは背方へ向けての部分的な切り込みでｂＺ折り片係止溝２３を設けて、ａＺ折り片係止溝２２を受けて噛み合う事ができ、正面斜縁６の上部領域を下方へ縦に細長く適度な幅を有する溝で収納溝８を設け、収納溝８は挿入口１１から挿入されたカタログなどを収納する溝であり、挿入口１１が前後に二つ有するのであれば、収納溝８の底縁の中央を天方向へ部分的に突出させて仕切突起１２を設けてカタログの下が滑って前へずれ出るのを防止でき、側板５の天端へ下方へ向けての部分的な切り込みでｂ天係止溝２１を設けて、正面板２の天縁へ谷折り線を介して有する横長矩形の天係止片１９に対で有する縦方への部分的な切り込みであるａ天係止溝２０と噛み合す事によって本体１を直角三角形の筒状を固定でき、
底板３に於いて、中央を横方向へ細長い矩形で切り抜いて底起片１４を設け、底起片１４は正面へ折り出された側板５の底縁へ組込んで両側へ開いて戻るのを防止する役割を果たすのであり、底起片１４の正面縁は谷折り線を介して底板３と連結され、上両側角は丸くなっており、背板４の横幅と同寸で天から地へ架けての半分の位置までの部分的な切り込みでａ底係止溝１５を対で設けて側板５の底縁を部分的に上方へ切り込んだｂ底係止溝１６と噛み合わせて係止し、ｂ底係止溝１６の正面方向の底縁をシートの厚み分だけ突出させて嵌合凸縁１７を設けて底板３へ背板４の横幅と同寸の間を有する前後に細長く平行な部分的切り溝の嵌合溝１８へ嵌合させて固定する事によって、側板５の両側方向への戻りを更に強固に防止する。
【０００６】
以下から組立て順序を説明するのであり、側板と背板を折り起こした状態で示した部分的斜視図の図２に於いて、側板５を直角に折り起こし、次に背板４を折り起こす。
【０００７】
側板と底起片を噛み合わせた状態で示した部分的斜視図の図３に於いて、背板４を直角に折り起こす前に底起片１４を折り起こし、ａ底係止溝１５とｂ底係止溝１６とを噛み合す事によって、正面方向へ折り出された側板５は固定されて両側へ開く状態で戻るのを防止する事ができ、嵌合凸縁１７を嵌合溝１８へ嵌合する事によって、側板５の固定を更に強固にできる。
【０００８】
背板と正面板とを繋ぐ前の状態で示した斜視図の図４に於いて、正面板２の天縁へ有する天係止片１９を背方へ折り返し、天係止片１９の両側領域に有するａ天係止溝２０を下へ向けて、側板５の天端に有するｂ天係止溝２１と噛み合す事によって、正面板２の天縁と背板４の天縁とが隣接して繋がり、本体１は横から見ると直角三角形状に組立てられる。
【０００９】
Ｚ折り片を組込む前の状態で正面方向から示した斜視図の図５に於いて、Ｚ折り片１０の上室２６に有するａＺ折り片係止溝２２をＬ字縁７に有するｂＺ折り片係止溝２３へ組込む事によって、Ｚ折り片１０はＺ状に折り曲げられた状態を固定する事ができる。
【００１０】
組立ての終了した状態を正面方向から示した斜視図の図６に於いて、Ｚ折り片１０の下室２４は収納商品の底を面で支えて安定を良くし、中室２５は商品の背下部領域を面で支え、上室２６は側板５のＬ字縁７へ差し込んでＺ折り片１０を固定し、Ｚ折り片１０より上に食み出る収納商品の背面はＬ字縁７によって線領域で支えられ、収納商品の側面は陳列孔９によって支えられ、前記の方法で商品は安定した状態で収納されているが、正面への零れ落ちを防ぐ目的で陳列孔９の両側の下部領域を内側へ適度に突出させても良い。
【００１１】
組立ての終了した状態を背面方向から示した斜視図の図７に於いて、背板４に対して側板５が直角に正面方向へ折り出されている事によって背板４は補強されて折れ曲がり難くなり、側板５は底起片で固定され、ａ天係止溝２０とｂ天係止溝２１との組込みによって、正面板２の天縁と背板４の天縁とが固定されて、本体１は横方向から見た状態で直角三角形状に組立てられる。
【００１２】
図６のＡ・Ｂ断裁線で断裁されて表示した断面図の図８に於いて、本体１の折り線箇所は加圧線によって設けても良いが、屈折する外側部分を半切りにする事によって屈折を容易にし、厚みのある厚紙であっても対応できる様にし、側板５の正面斜縁６は正面板２を裏側から支え、Ｌ字縁７はＺ折り片１０を裏側から支え、陳列孔９から収納される商品の底と背部の下部領域を支える事ができ、カタログの挿入口１１から挿入されたカタログは下部に有する収納溝８内に収納され、挿入口１１が前後に二つある場合、仕切突起１２を突出させる事によって、後ろに収納されたカタログの下部が前へずれ落ちるのを防止でき、フラップ片１３を垂らす事によって、収納カタログの背面を面で支える事が可能となって、重力による折れ曲がりを防止でき、前の挿入口１１からカタログを収納する場合、カタログの下部が後ろへずれて収納されるのを防止できる。
【００１３】
【発明の効果】
本体は横から見ると直角三角形状であり、斜辺部分を正面板とする事によって斜上にある視点から見易くなり、背板の両側から正面方向へ折り出される側板の正面斜縁へＬ字縁を設けて、正面板からのＺ折り片を沿わせる事によって商品を乗せて陳列する事ができ、収納溝を設けた事によって、カタログを収納する為の空間を設ける事ができ、収納溝が両側に対である事によって、カタログの底縁を左右の二点で支える事ができるので安定した状態で収納でき、組立ては厚紙の折り曲げと組込みによって行える事から、接着の手間が省けて製造コストを安くする事ができ、商品を乗せる為の棚部分も一枚のシートの部分的箇所から作る事ができるので、別個に設ける必要が無く、製造が楽にできる。
【図面の簡単な説明】
【図１】展開した状態で示した平面図。
【図２】側板と背板を折り起こした状態で示した部分的斜視図。
【図３】側板と底起片を噛み合わせた状態で示した部分的斜視図。
【図４】背板と正面板とを繋ぐ前の状態で示した斜視図。
【図５】Ｚ折り片を組込む前の状態で正面方向から示した斜視図。
【図６】組立ての終了した状態を正面方向から示した斜視図。
【図７】組立ての終了した状態を背面方向から示した斜視図。
【図８】図６のＡ・Ｂ断裁線で断裁されて表示した断面図。
【符号の説明】
２  正面板
３  底板
４  背板
５  側板
６  正面斜縁
７  Ｌ字縁
８  収納溝
９  陳列孔
１０  Ｚ折り片
１１  挿入口
１４  底起片
１９  天係止片
【図１】
0003547547.tif 000002
【図２】
0003547547.tif 000003
【図３】
0003547547.tif 000004
【図４】
0003547547.tif 000005
【図５】
0003547547.tif 000006
【図６】
0003547547.tif 000007
【図７】
0003547547.tif 000008
【図８】
0003547547.tif 000009